(57)【要約】      （修正有）【課題】遊技者が隣の音声に煩わされることなく遊技に集中できるとともに、隣の遊技者の不快なタバコの煙を遮断でき、かつ遊技者自身が喫煙する場合でもタバコの煙が左右のパーテーションで囲まれた遊技空間に充満しない遊技機島用パーテーションを提供する。【解決手段】パーテーション本体１１の上部１１ａを斜め上方に屈曲形成する。遊技者が喫煙する場合、タバコの煙はパーテーション本体１１の上部屈曲部１１ａに沿って遊技空間から上方へ速やかに排気されるので、遊技者自身が喫煙する場合でもタバコの煙が遊技空間に籠もらない。【選択図】図１
0003178269.tif 000002
【実用新案登録請求の範囲】
【請求項１】
透明樹脂板製のパーテーション本体と、パーテーション本体の後端部を着脱可能に組み付ける支持フレームを備え、遊技機島に設置されている遊技機と遊技機との間に支持フレームを固定することにより遊技機島に設置される遊技機島用パーテーションであって、
パーテーション本体の上部を斜め上方へ屈曲して形成したことを特徴とする遊技機島用パーテーション。
【考案の詳細な説明】
【技術分野】
【０００１】
本考案は遊技機島に設置される透明樹脂板製の遊技機島用パーテーションに関する。
【背景技術】
【０００２】
近時、遊技機島に列設されている遊技機と遊技機との間に透明アクリル樹脂板製のパーテーションを設置した遊技場が出現している。遊技機島にパーテーションを設置すると、隣の遊技機の音声が直接伝わらないので、遊技者が隣の音声に煩わされることなく、遊技に集中できる。また、隣の遊技者の不快なタバコの煙を遮断できる。一方、パーテーションは透明であるので、遊技者の不正行為の発見が可能であり、遊技者の不正を助長するおそれはない。
【先行技術文献】
【特許文献】
【０００３】
【特許文献１】引用なし
【考案の概要】
【考案が解決しようとする課題】
【０００４】
上述したように遊技機と遊技機の間にパーテーションを設置することにより隣の遊技者のタバコの煙を遮断できるものの、遊技者自身が喫煙する場合には遊技者が吐き出すタバコの煙が左右のパーテーションで囲われた遊技空間に篭もるので、煙に咽たり、遊技機の前面ガラスが曇り、遊技を楽しむことができない。
本考案はかかる問題点に鑑み、遊技者が隣の音声に煩わされることなく遊技に集中できるとともに、隣の遊技者の不快なタバコの煙を遮断でき、かつ遊技者自身が喫煙する場合でもタバコの煙が左右のパーテーションで囲まれた遊技空間に充満しない遊技機島用パーテーションを提供することを目的とする。
【課題を解決するための手段】
【０００５】
本願考案は、透明樹脂板製のパーテーション本体と、パーテーション本体の後端部を着脱可能に組み付ける支持フレームを備え、遊技機島に設置されている遊技機と遊技機との間に支持フレームを固定することにより遊技機島に設置される遊技機島用パーテーションであって、
パーテーション本体の上部を斜め上方へ屈曲して形成したことを特徴とする。
【考案の効果】
【０００６】
本考案に係る遊技機島用パーテーションは支持フレームを遊技機島に固定し、この支持フレームにパーテーション本体を組み付けることにより遊技機と遊技機の間に設置して使用される。パーテーション本体を遊技機と遊技機の間に設置することにより、左右のパーテーションによって遊技機ごとに遊技空間が区画形成されるので、隣の遊技機から聞こえる音声が小さくなり、また、隣の遊技者のタバコの煙を遮断できる。一方、遊技者が喫煙する場合、タバコの煙はパーテーション本体の上部屈曲部に沿って遊技空間から上方へ速やかに排気されるので、遊技者自身が喫煙する場合でもタバコの煙が遊技空間に籠もらない。
【図面の簡単な説明】
【０００７】
【図１】本考案の第１実施例に係る遊技機島用パーテーションを示す斜視図である。
【図２】同パーテーションのスリットを示す部分拡大図である。
【図３】支持フレームのプッシュリベットを示す斜視図である。
【図４】支持フレームのプッシュリベットを示す斜視図である。
【図５】同パーテーションを設置した遊技機島を示す説明図である。
【図６】本考案の第２実施例に係る遊技機島用パーテーションを示す斜視図である。
【実施例１】
【０００８】
以下に本考案を図面に基づき説明するに、図１には本考案の第１実施例に係る遊技機島用パーテーション１０が示されている。当該パーテーション１０は透明なアクリル樹脂板製のパーテーション本体１１と、支持フレーム１２を備えている。
【０００９】
パーテーション本体１１は上下両辺と前後両辺から成る略長方形を有し、上部１１ａが斜め上方へ屈曲形成されている。この上部屈曲部１１ａはパーテーション本体の全高の１／７程度の範囲を占めている。パーテーション本体の後端部の上部角隅部に円形の貫通穴１１ｂが形成されている。また、パーテーション本体１１の後端部の中間部と下部に貫通穴１１ｃ，１１ｄが形成されている。図２に拡大して図示するように、中間部の貫通穴１１ｃは縦の長穴に形成されている。また、下部の貫通穴１１ｄは中間部の貫通穴１１ｃと同じ長穴に形成されている。パーテーション本体１１の後端部の中間部と下部にはパーテーション本体１１の後端面からそれぞれ中間部の貫通穴１１ｃと下部の貫通穴１１ｄに達するスリット１１ｅが形成されている。
【００１０】
支持フレーム１２はベースフレーム１２ａと、ベースフレーム１２ａに一体的に立設した２本の縦フレーム１２ｂからなり、両縦フレーム１２ｂで縦溝１２ｃが形成されている。両縦フレーム１２ｂの上部１２ｄはパーテーション本体１１の上部屈曲部１１ａに合わせて屈曲し、縦溝１２ｃも屈曲している。両縦フレーム１２ｂの上端部、中間部及び下端部にはそれぞれ貫通穴１２ｅが形成されている。各縦フレーム１２ｂとベースフレーム１２ａの接合部１２ｆは厚みを増して補強されている。中間部の貫通穴１２ｅには縦溝１２ｃを横切るようにプッシュリベット１３が挿通され、貫通穴１２ｅに固着されている。このプッシュリベット１３は図３及び図４に示すように、リベットピン１３ａとプッシュノブ１３ｂから構成されている。リベットピン１３ａは貫通穴１３ｃを形成した筒軸構造を備え、前端外周部に４本のスリット１３ｄが形成され、後端部にフランジ部１３ｅが形成されている。一方、プッシュノブ１３ｂの内端面にはリベットピン１３ａのフランジ部１３ｅが嵌合する円形凹部１３ｆが形成され、円形凹部の中心部にプッシュロッド１３ｇが突出して設けられている。プッシュロッド１３ｇの先端部はリベットピン１３ａの貫通穴１３ｃにフランジ部１３ｅの側から挿入されている。プッシュリベット１３のリベットピン１３ａを縦フレーム１２ｂの貫通穴１２eに挿入し、リベットピン１３ａのフランジ部１３ｅがプッシュノブ１３ｂの円形凹部１３ｆに嵌合するまでプッシュノブ１３ｂをリベットピン１３ａに押し込むと、プッシュロッド１３ｇの先端がリベットピン１３ａの貫通穴１３ｃから外部に突出し、リベットピン１３ａの前端外周部がスリット１３ｄから拡開する。そのため、リベットピン１３ａが縦フレーム１２ｂの貫通穴１２ｅから抜けなくなる。このようにして、プッシュリベット１３が縦フレーム１２ｂの中間部の貫通穴１２ｅに固着されている。
同じく、下端部の貫通穴１２ｅにもプッシュリベット１３が固着されている。ベースフレーム１２ａの裏面には両面接着テープが貼着されている。
【００１１】
図５に示すように、遊技機２１は遊技機島２０を構成する縦柱２２と縦柱２２で区画された領域に一台ずつ設置されている。パーテーション１０は遊技機２１と遊技機２１の間に配設されている縦柱２２に両面テープ１４で支持フレーム１２のベースフレーム１２ａを接着して固定し、この支持フレーム１２にパーテーション本体１１が組み付けられる。
【００１２】
パーテーション本体１１を支持フレーム１２に組み付けるには、パーテーション本体１１の後端部を縦溝１２ｃに挿入する。このとき、図２に示すように、上下２箇所のスリット１１ｅをリベットピン１３ａが通過するようにパーテーション本体１１の後端部を縦溝１２ｃの奥へスライドさせることにより、リベットピン１３ａをパーテーション本体１１の貫通穴１１ｃ、１１ｄに挿通する。そして、リベットピン１３ａがパーテーション本体１１の貫通穴１１ｃ、１１ｄの上端部に当接するようにパーテーション本体１１を縦溝１２ｃに沿って下方へ僅かにスライドさせる。パーテーション本体１１の中間部の貫通穴１１ｃの上端部と下部の貫通穴１１ｄの上端部にリベットピン１３ａが当接すると、パーテーション本体１１の上部の貫通穴１１ｂと両縦フレーム１２ｂの上部の貫通穴１２ｅが整合するので、整合した貫通穴１１ｂ，１２ｅにプッシュリベット１３を挿通し、プッシュノブ１３ｂを押し込んでプッシュリベット１３を貫通穴１１ｂ，１２ｅに固着する。これによりパーテーション本体１１が支持フレーム１２に一体に組み付けられる。
【００１３】
第１実施例に係る遊技機島用パーテーション１０の構造は以上の通りであって、パーテーション本体１１を隣接する遊技機２１と遊技機２１の間に設置することにより、左右のパーテーション１０によって遊技機２１ごとに遊技空間が区画形成されるので、隣の遊技機２１から聞こえる音声が小さくなり、また、隣の遊技者のタバコの煙を遮断できる。一方、遊技者が喫煙する場合、タバコの煙はパーテーション本体１１の上部屈曲部１１ａに沿って遊技空間から上方へ速やかに排気されるので、遊技者自身が喫煙する場合でもタバコの煙が遊技空間に籠もらない。
【実施例２】
【００１４】
本考案の第２実施例に係る遊技機島用パーテーション３０を図６に示す。当該遊技機島用パーテーションにおけるパーテーション本体１１は前端部の下部角隅部に切欠部１１ｆを形成した略５角形を有する。
なお、第２実施例に係る遊技機島用パーテーション３０の他の構成は第１実施例に係る遊技機島用パーテーション１０と同じであるので、同一の構成要素に同一の符号を付して説明を省略する。
【００１５】
第２実施例に係る遊技機島用パーテーション３０によれば、下部切欠部１１ｆの近辺から遊技空間の下部に外部から空気が流入し、流入した空気がパーテーション本体１１の上部屈曲部１１ａに沿って遊技空間から上方へ流出するので、タバコの煙が速やかに遊技空間から排出される。
【符号の説明】
【００１６】
１０，３０…遊技機島用パーテーション
１１…パーテーション本体
１１ａ…上部屈曲部
１１ｂ，１１ｃ，１１ｄ…貫通穴
１１ｅ…スリット
１２…支持フレーム
１２ａ…ベースフレーム
１２ｂ…縦フレーム
１２ｃ…縦溝
１２ｄ…上部屈曲部
１２ｅ…貫通穴
１３…プッシュリベット
１３ａ…リベットピン
１３ｂ…プッシュノブ
１４…両面接着テープ
２０…遊技機島
２１…遊技機
２２…遊技機島の縦柱
【図１】
0003178269.tif 000003
【図２】
0003178269.tif 000004
【図３】
0003178269.tif 000005
【図４】
0003178269.tif 000006
【図５】
0003178269.tif 000007
【図６】
0003178269.tif 000008